(57)【要約】【課題】  迷子等の不測の事態の早期発見が可能な情報収集提供システムを提供する。【解決手段】 センサ装置２０ａないし２０ｅは、識別タグ１０ａないし１０ｃから対象者特定情報を取得し、その対象者特定情報を、センサ特定情報と関連づけて基地局３０ａないし３０ｃに送信する。基地局３０ａないし３０ｃは、その互いに関連づけられた対象者特定情報とセンサ特定情報とを基地局特定情報と関連づけて制御装置６０に送信する。制御装置６０は、センサ識別子ごとにセンサ装置２０ａないし２０ｅの設置位置と移動体に設置されているか否かを示す移動体情報とを記憶し、基地局識別子ごとに基地局３０ａないし３０ｃの設置位置を記憶し、基地局３０ａないし３０ｃから受け付けた互いに関連づけられた対象者特定情報とセンサ特定情報と基地局特定情報と、自己に記憶した設置位置と移動体情報に基づいて、対象者の位置と移動体に乗っているか否かを特定する。【選択図】    図１
2006285413.tif 000002
【特許請求の範囲】
【請求項１】
自己を特定するタグ識別子を記憶する識別タグと、前記識別タグに記憶された前記タグ識別子を取得するセンサ装置と、前記センサ装置から送信される情報を受け付ける基地局と、前記基地局から送信される情報を受け付ける制御装置と、を含む情報収集提供システムにおいて、
前記センサ装置は、
前記タグ識別子を取得すると、取得したタグ識別子を、自己を特定するためのセンサ識別子と関連づけて基地局に送信し、
前記基地局は、
前記センサ装置から互いに関連づけられた前記タグ識別子と前記センサ識別子とを受け付けると、受け付けた前記タグ識別子と前記センサ識別子を、自己を特定するための基地局識別子と関連づけて前記制御装置に送信し、
前記制御装置は、
情報を受け付ける入力部と、
現在の時刻を示す時計部と、
前記センサ識別子と、該センサ識別子にて特定される前記センサ装置の設置位置と、該センサ識別子にて特定される前記センサ装置が移動体に設置されているか否かを示す移動体情報と、を前記センサ識別子ごとに関連づけて記憶するセンサ位置情報記憶部と、
前記基地局識別子と、該基地局識別子にて特定される前記基地局の設置位置と、を前記基地局識別子ごとに関連づけて記憶する基地局位置情報記憶部と、
前記入力部が前記基地局から互いに関連づけられた前記タグ識別子と前記センサ識別子と前記基地局識別子とを受け付けると、前記時計部から現在時刻を情報取得時刻として取得し、前記センサ位置情報記憶部から前記入力部が受け付けたセンサ識別子と関連づけられて記憶された前記センサ装置の設置位置と前記移動体情報とを取得し、取得した移動体情報に基づいて、前記センサ装置が移動体に設置されているか否かを判断し、前記センサ装置が移動体に設置されていると判断された場合、前記基地局位置情報記憶部から、前記入力部が受け付けた基地局識別子と関連づけられて記憶された前記基地局の設置位置を、情報取得位置として取得し、一方、前記センサ装置が移動体に設置されていないと判断された場合、前記センサ位置情報記憶部から取得した前記センサ装置の設置位置を、前記情報取得位置として特定し、前記入力部が受け付けたタグ識別子と、前記情報取得位置と、前記情報取得時刻と、前記センサ位置情報記憶部から取得した移動体情報と、を関連づけた対象者情報を作成する生成手段と、
前記生成手段にて作成された前記対象者情報を記憶する対象者情報記憶部と
を含むことを特徴とする情報収集提供システム。
【請求項２】
請求項１に記載の情報収集提供システムにおいて、
前記制御装置は、
前記タグ識別子と、電子メールアドレスと、該タグ識別子にて特定される前記識別タグを保持する対象者に関する情報を送信するための送信条件とを、前記タグ識別子ごとに記憶する送信条件記憶部と、
前記送信条件記憶部に記憶された前記送信条件に従って、前記送信条件記憶部にて該送信条件と関連づけられて記憶された前記タグ識別子を含む対象者情報に基づいて所定の情報を作成し、作成した前記所定の情報を該送信条件と関連づけられて記憶された電子メールアドレス宛に、送信する判断手段と、
を含む情報収集提供システム。
【請求項３】
請求項２に記載の情報収集提供システムにおいて、
前記判断手段は、所定の時間ごとに、前記対象者情報記憶部から対象者情報を取得し、取得した対象者情報を前記電子メールアドレス宛に送信する、
情報収集提供システム。
【請求項４】
請求項２に記載の情報収集提供システムにおいて、
前記判断手段は、前記生成手段が作成した前記対象者情報に含まれる前記情報取得位置が所定の位置に含まれるか否かを判断し、前記情報取得位置が前記所定の位置に含まれないと判断した場合、前記対象者が前記所定の位置以外の位置に存在することを示す情報を、前記電子メールアドレス宛に送信する、
情報収集提供システム。
【請求項５】
請求項２に記載の情報収集提供システムにおいて、
前記判断手段は、所定の時刻に、前記対象者情報記憶部から前記送信条件と関連づけられた対象者特定情報と関連づけられて記憶された前記情報取得位置を取得し、取得した前記情報取得位置が前記所定の位置を含むか否かの判断を行い、前記情報取得位置が所定の位置に含まないと判断された場合、前記対象者が前記所定の時刻までに前記所定の位置に存在したことがないむねを示す情報を、前記電子メールアドレス宛に送信する、
情報収集提供システム。
【請求項６】
請求項２に記載の情報収集提供システムにおいて、
前記制御装置は、
所定の時間が経過すると、所定の情報を前記判断手段に出力するタイマー部をさらに含み、
前記判断手段は、
前記生成手段が作成した前記対象者情報に含まれる前記情報取得位置が、第一の所定の位置と一致しているか否かを判断し、前記情報取得位置が前記第一の所定の位置と一致していると判断された場合、所定の時間が経過すると前記生成手段が作成した前記対象者情報に含まれる前記対象者特定情報を出力するタイマー設定を前記タイマー部に行い、前記タイマー部から前記対象者特定情報を受け付けると、前記対象者情報記憶部から、前記タイマー部から受け付けた対象者特定情報と関連づけられて記憶された前記情報取得位置を取得し、前記対象者情報記憶部から取得した前記情報取得位置に第二の所定の位置が含まれるか否かの判断を行い、前記情報取得位置に前記第二の所定の位置が含まれないと判断された場合、対象者が前記所定の時間内に前記第二の所定の位置に存在したことがないむねを示す情報を、前記電子メールアドレス宛に送信する、
情報収集提供システム。
【請求項７】
請求項２に記載の情報収集提供システムにおいて、
前記判断手段は、前記生成手段が前記対象者情報を作成すると、作成した対象者情報を前記の電子メールアドレス宛に送信する、
情報収集提供システム。
【請求項８】
自己を特定するタグ識別子を記憶する識別タグと、前記識別タグに記憶された前記タグ識別子を取得するセンサ装置と、前記センサ装置から送信される情報を受け付ける基地局と、記基地局から送信される情報を受け付ける制御装置とを含み、前記制御装置が対象者情報記憶部と、現在の時刻を示す時計部と、前記センサ装置を特定するセンサ識別子と該センサ識別子にて特定される前記センサ装置の設置位置と該センサ識別子にて特定される前記センサ装置が移動体に設置されているか否かを示す移動体情報とを前記センサ識別子ごとに関連づけて記憶するセンサ位置情報記憶部と、前記基地局を特定する基地局識別子と該基地局識別子にて特定される前記基地局の設置位置とを前記基地局識別子ごとに関連づけて記憶する基地局位置情報記憶部とを含む、情報収集提供システムが行う情報収集提供方法であって、
前記センサ装置が前記タグ識別子を取得すると、取得したタグ識別子を、前記センサ識別子と関連づけて基地局に送信するセンサ送信ステップと
前記基地局が前記センサ装置から互いに関連づけられた前記タグ識別子と前記センサ識別子とを受け付けると、受け付けた前記タグ識別子と前記センサ識別子を、前記基地局識別子と関連づけて前記制御装置に送信する基地局送信ステップと、
前記制御装置が前記基地局から互いに関連づけられた前記タグ識別子と前記センサ識別子と前記基地局識別子とを受け付ける入力ステップと、
前記制御装置が、前記入力ステップにて前記基地局から互いに関連づけられた前記タグ識別子と前記センサ識別子と前記基地局識別子とを受け付けると、前記時計部から現在時刻を情報取得時刻として取得し、前記センサ位置情報記憶部から前記入力ステップにて受け付けられたセンサ識別子と関連づけられて記憶された前記センサ装置の設置位置と前記移動体情報とを取得し、取得した移動体情報に基づいて、前記センサ装置が移動体に設置されているか否かを判断し、前記センサ装置が移動体に設置されていると判断した場合、前記基地局位置情報記憶部から、前記入力ステップにて受け付けられた基地局識別子と関連づけられて記憶された前記基地局の設置位置を、情報取得位置として取得し、一方、前記センサ装置が移動体に設置されていないと判断された場合、前記センサ位置情報記憶部から取得した前記センサ装置の設置位置を、前記情報取得位置として特定し、前記入力ステップにて受け付けられたタグ識別子と、情報取得位置と、情報取得時刻と、前記センサ位置情報記憶部から取得した移動体情報と、を関連づけた対象者情報を作成する生成ステップと、
前記制御装置が、前記生成ステップにて作成された前記対象者情報を前記対象者情報記憶部に記憶する対象者情報記憶ステップと、
を含む情報収集提供方法。
【請求項９】
請求項８に記載の情報収集提供方法において、
前記制御装置は、前記タグ識別子と、電子メールアドレスと、該タグ識別子にて特定される前記識別タグを保持する対象者に関する情報を送信するための送信条件とを、前記タグ識別子ごとに記憶する送信条件記憶部をさらに含み、
前記制御装置が前記送信条件記憶部に記憶された前記送信条件に従って、前記送信条件記憶部にて該送信条件と関連づけられて記憶された前記タグ識別子を含む対象者情報に基づいて所定の情報を作成し、作成した前記所定の情報を該送信条件と関連づけられて記憶された電子メールアドレス宛に、送信する判断ステップ、
を含む情報収集提供方法。
【請求項１０】
請求項９に記載の情報収集提供方法において、
前記判断ステップでは、所定の時間ごとに、前記対象者情報記憶部から対象者情報を取得し、取得した対象者情報を前記電子メールアドレス宛に送信する、
情報収集提供方法。
【請求項１１】
請求項９に記載の情報収集提供方法において、
前記判断ステップでは、前記生成ステップにて作成された前記対象者情報に含まれる前記情報取得位置が、所定の位置に含まれるか否かを判断し、前記情報取得位置が前記所定の位置に含まれないと判断された場合、前記対象者が前記所定の位置以外の位置に存在することを示す情報を、前記電子メールアドレス宛に送信する、
情報収集提供方法。
【請求項１２】
請求項９に記載の情報収集提供方法において、
前記判断ステップでは、所定の時刻に、前記対象者情報記憶部から、前記送信条件と関連づけられた対象者特定情報と関連づけられて記憶された前記情報取得位置を取得し、取得した前記情報取得位置が、所定の位置を含むか否かの判断を行い、前記情報取得位置が前記所定の位置を含まないと判断された場合、前記対象者が前記所定の時刻までに前記所定の位置に存在したことがないむねを示す情報を、前記電子メールアドレス宛に送信する、
情報収集提供方法。
【請求項１３】
請求項９に記載の情報収集提供方法において、
前記制御装置は、タイマー部をさらに含み、
前記判断ステップでは、前記生成ステップにて作成された前記対象者情報に含まれる前記情報取得位置が、第一の所定の位置と一致しているか否かを判断し、前記情報取得位置が前記第一の所定の位置と一致していると判断した場合、前記タイマー部に所定の時間が経過すると前記生成ステップにて作成された前記対象者情報に含まれる前記対象者特定情報を出力する設定を行い、前記タイマー部が前記対象者特定情報を出力すると、前記対象者情報記憶部から、前記タイマー部から出力された対象者特定情報と関連づけられて記憶された前記情報取得位置を取得し、前記対象者情報記憶部から取得した前記情報取得位置が前記第二の所定の位置を含むか否かの判断を行い、前記情報取得位置が第二の所定の位置を含まないと判断された場合、対象者が前記所定の時間内に前記第二の所定の位置に存在したことがないむねを示す情報を、前記電子メールアドレス宛に送信する、
情報収集提供方法。
【請求項１４】
請求項９に記載の情報収集提供方法において、
前記判断ステップでは、前記生成ステップにて前記対象者情報が作成されると、作成された対象者情報を前記電子メールアドレス宛に送信する、
情報収集提供方法。
【発明の詳細な説明】
【技術分野】
【０００１】
本発明は、情報収集提供システムおよび情報収集提供方法に関する。
【背景技術】
【０００２】
子供あるいは老人等の被保護者が迷子あるいは誘拐等の不測の事態に遭遇した場合に被保護者の現在位置を特定するシステム、および、そのような不測の事態を予防するためのシステムが知られている。
【０００３】
例えば、特許文献１（特開２００３−２３３８９３号公報）に記載の施設来場者の現在位置検出システムでは、被保護者が所有者固有の識別子を記憶した識別タグを保持し、イベント会場等の特定の施設内で被保護者が迷子になった際に、識別タグに記憶された所有者固有の識別子が検索され、被保護者の現在位置が特定されている。
【０００４】
また、特許文献２（特開２００４―８６３９４号公報）に記載の出欠管理及び登下校通知システムでは、生徒を特定する特定情報を記録する情報記録媒体が該生徒に保持され、例えば、学校の校門などに設置されたセンサに近づくと、生徒の保持する情報記録媒体から該生徒を特定する特定情報が取得される。これにより、生徒が学校に入ったことあるいは学校から出たことを示す情報が、特定情報を取得した時刻と共に、保護者の電子メールアドレス宛に送信される。
【特許文献１】特開２００３−２３３８９３号公報
【特許文献２】特開２００４―８６３９４号公報
【発明の開示】
【発明が解決しようとする課題】
【０００５】
しかしながら、特許文献１に記載の施設来場者の現在位置検出システムでは、被保護者が迷子になった後に被保護者の現在位置が検索されるため、保護者が迷子あるいは誘拐等の不測の事態の発生に気づくのが遅れる可能性がある。
【０００６】
また、特許文献２に記載の出欠管理及び登下校通知システムでは、生徒が学校に入ったことあるいは学校から出たことを保護者に連絡しているため、例えば、学校から家に帰る途中など、保護者は学校外での生徒の位置を知ることができない。このため、例えば、学校から家に帰る途中などで迷子あるいは誘拐等の不測の事態が起こった場合、保護者は連絡を受けないため、迷子あるいは誘拐等の不測の事態の発生に気づくのが遅れる可能性がある。
【０００７】
特に、被保護者が移動体にて移動してしまうと、保護者は迷子あるいは誘拐等の不測の事態の発生を確認できなかった。
【０００８】
本発明の目的は、迷子あるいは誘拐等の不測の事態の早期発見が可能な情報収集提供システム、および、情報収集提供方法を提供することである。
【課題を解決するための手段】
【０００９】
前記目的を達成するために、本発明の情報収集提供システムは、自己を特定するタグ識別子を記憶する識別タグと、前記識別タグに記憶された前記タグ識別子を取得するセンサ装置と、前記センサ装置から送信される情報を受け付ける基地局と、前記基地局から送信される情報を受け付ける制御装置と、を含む情報収集提供システムにおいて、前記センサ装置は、前記タグ識別子を取得すると、取得したタグ識別子を、自己を特定するためのセンサ識別子と関連づけて基地局に送信し、前記基地局は、前記センサ装置から互いに関連づけられた前記タグ識別子と前記センサ識別子とを受け付けると、受け付けた前記タグ識別子と前記センサ識別子を、自己を特定するための基地局識別子と関連づけて前記制御装置に送信し、前記制御装置は、情報を受け付ける入力部と、現在の時刻を示す時計部と、前記センサ識別子と、該センサ識別子にて特定される前記センサ装置の設置位置と、該センサ識別子にて特定される前記センサ装置が移動体に設置されているか否かを示す移動体情報と、を前記センサ識別子ごとに関連づけて記憶するセンサ位置情報記憶部と、前記基地局識別子と、該基地局識別子にて特定される前記基地局の設置位置と、を前記基地局識別子ごとに関連づけて記憶する基地局位置情報記憶部と、前記入力部が前記基地局から互いに関連づけられた前記タグ識別子と前記センサ識別子と前記基地局識別子とを受け付けると、前記時計部から現在時刻を情報取得時刻として取得し、前記センサ位置情報記憶部から前記入力部が受け付けたセンサ識別子と関連づけられて記憶された前記センサ装置の設置位置と前記移動体情報とを取得し、取得した移動体情報に基づいて、前記センサ装置が移動体に設置されているか否かを判断し、前記センサ装置が移動体に設置されていると判断された場合、前記基地局位置情報記憶部から、前記入力部が受け付けた基地局識別子と関連づけられて記憶された前記基地局の設置位置を、情報取得位置として取得し、一方、前記センサ装置が移動体に設置されていないと判断された場合、前記センサ位置情報記憶部から取得した前記センサ装置の設置位置を、前記情報取得位置として特定し、前記入力部が受け付けたタグ識別子と、前記情報取得位置と、前記情報取得時刻と、前記センサ位置情報記憶部から取得した移動体情報と、を関連づけた対象者情報を作成する生成手段と、前記生成手段にて作成された前記対象者情報を記憶する対象者情報記憶部とを含むことを特徴とする。
【００１０】
また、本発明の情報収集提供方法は、自己を特定するタグ識別子を記憶する識別タグと、前記識別タグに記憶された前記タグ識別子を取得するセンサ装置と、前記センサ装置から送信される情報を受け付ける基地局と、記基地局から送信される情報を受け付ける制御装置とを含み、前記制御装置が対象者情報記憶部と、現在の時刻を示す時計部と、前記センサ装置を特定するセンサ識別子と該センサ識別子にて特定される前記センサ装置の設置位置と該センサ識別子にて特定される前記センサ装置が移動体に設置されているか否かを示す移動体情報とを前記センサ識別子ごとに関連づけて記憶するセンサ位置情報記憶部と、前記基地局を特定する基地局識別子と該基地局識別子にて特定される前記基地局の設置位置とを前記基地局識別子ごとに関連づけて記憶する基地局位置情報記憶部とを含む、情報収集提供システムが行う情報収集提供方法であって、前記センサ装置が前記タグ識別子を取得すると、取得したタグ識別子を、前記センサ識別子と関連づけて基地局に送信するセンサ送信ステップと前記基地局が前記センサ装置から互いに関連づけられた前記タグ識別子と前記センサ識別子とを受け付けると、受け付けた前記タグ識別子と前記センサ識別子を、前記基地局識別子と関連づけて前記制御装置に送信する基地局送信ステップと、前記制御装置が前記基地局から互いに関連づけられた前記タグ識別子と前記センサ識別子と前記基地局識別子とを受け付ける入力ステップと、前記制御装置が、前記入力ステップにて前記基地局から互いに関連づけられた前記タグ識別子と前記センサ識別子と前記基地局識別子とを受け付けると、前記時計部から現在時刻を情報取得時刻として取得し、前記センサ位置情報記憶部から前記入力ステップにて受け付けられたセンサ識別子と関連づけられて記憶された前記センサ装置の設置位置と前記移動体情報とを取得し、取得した移動体情報に基づいて、前記センサ装置が移動体に設置されているか否かを判断し、前記センサ装置が移動体に設置されていると判断した場合、前記基地局位置情報記憶部から、前記入力ステップにて受け付けられた基地局識別子と関連づけられて記憶された前記基地局の設置位置を、情報取得位置として取得し、一方、前記センサ装置が移動体に設置されていないと判断された場合、前記センサ位置情報記憶部から取得した前記センサ装置の設置位置を、前記情報取得位置として特定し、前記入力ステップにて受け付けられたタグ識別子と、情報取得位置と、情報取得時刻と、前記センサ位置情報記憶部から取得した移動体情報と、を関連づけた対象者情報を作成する生成ステップと、前記制御装置が、前記生成ステップにて作成された前記対象者情報を前記対象者情報記憶部に記憶する対象者情報記憶ステップと、を含む。
【００１１】
前記発明によれば、タグ識別子と情報取得位置と情報取得時刻と移動体情報とが関連づけられて記憶される。これにより、識別タグを保持する対象者の居場所が時刻ごとにわかるので、対象者の行動を知ることが可能になる。これにより、迷子あるいは誘拐等の不測の事態の早期発見が可能になる。また、対象者が移動体に乗っているか否かが記憶されるので、対象者が移動体にて移動している場合でも、対象者の行動を知ることが可能になる。
【００１２】
また本発明の情報収集提供システムは、前記制御装置は、前記タグ識別子と、電子メールアドレスと、該タグ識別子にて特定される前記識別タグを保持する対象者に関する情報を送信するための送信条件とを、前記タグ識別子ごとに記憶する送信条件記憶部と、前記送信条件記憶部に記憶された前記送信条件に従って、前記送信条件記憶部にて該送信条件と関連づけられて記憶された前記タグ識別子を含む対象者情報に基づいて所定の情報を作成し、作成した前記所定の情報を該送信条件と関連づけられて記憶された電子メールアドレス宛に、送信する判断手段と、を含むことが望ましい。
【００１３】
また本発明の情報収集提供方法は、前記制御装置は、前記タグ識別子と、電子メールアドレスと、該タグ識別子にて特定される前記識別タグを保持する対象者に関する情報を送信するための送信条件とを、前記タグ識別子ごとに記憶する送信条件記憶部をさらに含み、前記制御装置が前記送信条件記憶部に記憶された前記送信条件に従って、前記送信条件記憶部にて該送信条件と関連づけられて記憶された前記タグ識別子を含む対象者情報に基づいて所定の情報を作成し、作成した前記所定の情報を該送信条件と関連づけられて記憶された電子メールアドレス宛に送信する判断ステップ、を含むことが望ましい。
【００１４】
前記発明によれば、送信条件に従って、所定の情報が送信条件と関連づけられた電子メールアドレス宛に送信される。これにより、対象者の行動が保護者の電子メールアドレスに送信されるので、保護者は、例えば、自宅あるいは勤め先など、電子メールを取得できる環境があれば、場所を選ばずに、対象者の行動を知ることが可能になる。これにより、迷子あるいは誘拐等の不測の事態の早期発見が可能になる。
【００１５】
また、本発明の情報収集提供システムは、前記判断手段は、所定の時間ごとに、前記対象者情報記憶部から対象者情報を取得し、取得した対象者情報を前記電子メールアドレス宛に送信することが望ましい。
【００１６】
また、本発明の情報収集提供方法は、前記判断ステップでは、所定の時間ごとに、前記対象者情報記憶部から対象者情報を取得し、取得した対象者情報を前記電子メールアドレス宛に送信することが望ましい。
【００１７】
前記発明によれば、所定の時間ごとに、対象者情報が送信条件と関連づけられた電子メールアドレス宛に送信される。これにより、保護者は定期的に対象者の行動を知ることが可能になる。よって、迷子あるいは誘拐等の不測の事態の早期発見が可能になる。
【００１８】
また、本発明の情報収集提供システムは、前記判断手段は、前記生成手段が作成した前記対象者情報に含まれる前記情報取得位置が、所定の位置に含まれるか否かを判断し、前記情報取得位置が前記所定の位置に含まれないと判断した場合、前記対象者が前記所定の位置以外の位置に存在するむねを示す情報を、前記電子メールアドレス宛に送信することが望ましい
また、本発明の情報収集提供方法は、前記判断ステップでは、前記生成ステップにて作成された前記対象者情報に含まれる前記情報取得位置が、所定の位置に含まれるか否かを判断し、前記情報取得位置が前記所定の位置に含まれないと判断された場合、前記対象者が前記所定の位置以外の位置に存在するむねを示す情報を、前記電子メールアドレス宛に送信することが望ましい。
【００１９】
本発明によれば、前記対象者が前記所定の位置以外の位置に存在するむねを示す情報が、電子メールアドレス宛に送信される。これにより、保護者は、例えば、対象者が普段行かない場所に対象者が行ったことなど、対象者の行動に不測の事態が起こった可能性を知ることができる。これにより、迷子あるいは誘拐等の不測の事態の早期発見が可能になる。
【００２０】
また、本発明の情報収集提供システムは、前記判断ステップでは、所定の時刻に、前記対象者情報記憶部から、前記送信条件と関連づけられた対象者特定情報と関連づけられて記憶された前記情報取得位置を取得し、取得した前記情報取得位置が、所定の位置を含むか否かの判断を行い、前記情報取得位置が前記所定の位置を含まないと判断された場合、前記対象者が前記所定の時刻までに前記所定の位置に存在したことがないむねを示す情報を、前記電子メールアドレス宛に送信することが望ましい。
【００２１】
また、本発明の情報収集提供方法は、所定の時刻に、前記対象者情報記憶部から、前記送信条件と関連づけられた対象者特定情報と関連づけられて記憶された前記情報取得位置を取得し、取得した前記情報取得位置が、所定の位置を含むか否かの判断を行い、前記情報取得位置が前記所定の位置を含まないと判断された場合、前記対象者が前記所定の時刻までに前記所定の位置に存在したことがないむねを示す情報を、前記電子メールアドレス宛に送信することが望ましい。
【００２２】
前記発明によれば、対象者が所定の時刻までに所定の位置に存在したことがないむねを示す情報が電子メールアドレス宛に送信される。これにより、保護者は、例えば、対象者が学校に着いていなければいけない時刻に着いていないことなど、対象者の行動に不測の事態が起こった可能性を知ることができる。これにより、迷子あるいは誘拐等の不測の事態の早期発見が可能になる。
【００２３】
また発明の情報収集提供システムでは、前記制御装置は、所定の時間が経過すると、所定の情報を前記判断手段に出力するタイマー部をさらに含み、前記判断手段は、前記生成手段が作成した前記対象者情報に含まれる前記情報取得位置が、第一の所定の位置と一致しているか否かを判断し、前記情報取得位置が前記第一の所定の位置と一致していると判断された場合、前記タイマー部に所定の時間が経過すると前記生成手段が作成した前記対象者情報に含まれる前記対象者特定情報を出力する設定を行い、前記タイマー部から前記対象者特定情報を受け付けると、前記対象者情報記憶部から、前記タイマー部から受け付けた対象者特定情報と関連づけられて記憶された前記情報取得位置を取得し、前記対象者情報記憶部から取得した前記情報取得位置が第二の所定の位置を含むか否かの判断を行い、前記情報取得位置が前記第二の所定の位置を含まないと判断された場合、対象者が前記所定の時間内に前記第二の所定の位置に存在したことがないむねを示す情報を、前記電子メールアドレス宛に送信することが望ましい。
【００２４】
また本発明の情報収集提供方法は、前記制御装置はタイマー部をさらに含み、前記判断ステップでは、前記生成ステップにて作成された前記対象者情報に含まれる前記情報取得位置が、第一の所定の位置と一致しているか否かを判断し、一致していると判断した場合、前記タイマー部に所定の時間が経過すると前記生成ステップにて作成された前記対象者情報に含まれる前記対象者特定情報を出力する設定を行い、前記タイマー部が前記対象者特定情報を出力すると、前記対象者情報記憶部から、前記タイマー部から出力された対象者特定情報と関連づけられて記憶された前記情報取得位置を取得し、前記対象者情報記憶部から取得した前記情報取得位置が第二の所定の位置を含むか否かの判断を行い、含まないと判断された場合、対象者が前記所定の時間内に前記第二の所定の位置に存在したことがないむねを示す情報を、前記電子メールアドレス宛に送信することが望ましい。
【００２５】
前記発明によれば、対象者が前記所定の時間内に第二の所定の位置に存在したことがないむねを示す情報が電子メール宛に送信される。これにより、保護者は、例えば、下校時において、対象者が校門を出てからバスに乗るまでの時間が多くかかっていることなど、対象者の行動に不測の事態が起こった可能性を知ることができる。よって、迷子あるいは誘拐等の不測の事態の早期発見が可能になる。
【００２６】
また本発明の情報収集提供システムは、前記判断手段は、前記生成手段が前記対象者情報を作成すると、作成した対象者情報を前記の電子メールアドレス宛に送信することが望ましい。
【００２７】
また本発明の情報収集提供方法は、前記判断ステップでは、前記生成ステップにて前記対象者情報が作成されると、作成された対象者情報を前記電子メールアドレス宛に送信することが望ましい。
【００２８】
前記発明によれば、保護者は、対象者の行動を細かく知ることができる。よって、迷子あるいは誘拐等の不測の事態の早期発見が可能になる。
【発明の効果】
【００２９】
本発明によれば、迷子あるいは誘拐等の不測の事態の早期発見が可能になる。
【発明を実施するための最良の形態】
【００３０】
以下、本発明の一実施例を図面に基づいて説明する。
【００３１】
図１は、本実施例の情報収集提供システムを示したブロック図である。
【００３２】
図１において、情報収集提供システムは、識別タグ１０ａないし識別タグ１０ｃとセンサ装置２０ａないしセンサ装置２０ｅと基地局３０ａないし基地局３０ｃとクライアント４０ａおよびクライアント４０ｂとネットワーク網５０と制御装置６０と、を含む。なお、識別タグ１０ａないし識別タグ１０ｃ、センサ装置２０ａないしセンサ装置２０ｅ、基地局３０ａないし基地局３０ｃ、および、クライアント４０ａおよびクライアント４０ｂの数は限定されない。
【００３３】
識別タグ１０ａないし識別タグ１０ｃは、例えば、無線ＩＣタグであり、位置や時間を確認したい児童や老人等の対象者が保持する。また、識別タグ１０ａないし識別タグ１０ｃは、自己を特定するための対象者特定情報、例えば、自己を保持する対象者の氏名、を記憶する。
【００３４】
センサ装置２０ａないしセンサ装置２０ｅは、任意の場所、例えば、学校等の公共施設の建物内あるいはバス等の移動体、に設置され、識別タグ１０ａないし識別タグ１０ｃを保持する対象者が近づくと、識別タグ１０ａないし識別タグ１０ｃに記憶された対象者特定情報を取得する。
【００３５】
センサ装置２０ａないしセンサ装置２０ｅは、識別タグ１０ａないし識別タグ１０ｃから対象者特定情報を取得した場合、取得した対象者特定情報、自己を特定するためのセンサ特定情報（例えば、センサ装置２０ａないしセンサ装置２０ｅごとに固有のＩＤ番号）、および、対象者特定情報をセンサ装置２０ａないしセンサ装置２０ｅが取得したセンサ反応時刻、を関連づけたセンサ送信情報を作成する。また、センサ装置２０ａないしセンサ装置２０ｅは、作成したセンサ送信情報を暗号化し、暗号化したセンサ送信情報を基地局３０ａないし基地局３０ｃのいずれか一つに送信する。
【００３６】
図６ａは、センサ装置２０ａないしセンサ装置２０ｅの構成の一例を示したブロック図である。
【００３７】
図６ａにおいて、センサ装置２０ａないしセンサ装置２０ｅは、センサ６０１とセンサ送信情報生成部６０２と時計部６０３とセンサ特定情報記憶部６０４と暗号化部６０５と送信部６０６とを含む。
【００３８】
センサ６０１は、識別タグ１０ａないし識別タグ１０ｃから対象者特定情報を取得し、取得した対象者特定情報をセンサ送信情報生成部６０２に出力する。
【００３９】
時計部６０３は、現在時刻を示す。
【００４０】
センサ特定情報記憶部６０４は、自己を特定するためのセンサ特定情報を記憶する。
【００４１】
センサ送信情報生成部６０２は、センサ６０１から対象者特定情報を受け付けると、時計部６０３から現在時刻をセンサ反応時刻として取得し、センサ特定情報記憶部６０４からセンサ特定情報を取得する。また、センサ送信情報生成部６０２は、センサ６０１から受け付けた対象者特定情報とセンサ特定情報記憶部６０４から取得したセンサ特定情報と時計部６０３から取得したセンサ反応時刻とを関連づけたセンサ送信情報を作成し、作成したセンサ送信情報を暗号化部６０５に出力する。
【００４２】
図６ｂは、センサ送信情報の一例を示した図である。
【００４３】
図６ｂにおいて、センサ送信情報６１０は対象者特定情報６１１とセンサ特定情報６１２とセンサ反応時刻６１３とを含む。
【００４４】
対象者特定情報６１１は、識別タグ１０ａないし識別タグ１０ｂを保持する対象者の氏名であり、識別タグ１０ａないし識別タグ１０ｂを特定するための情報である。
【００４５】
センサ特定情報６１２は、センサ装置２０ａないしセンサ装置２０ｅごとに固有のＩＤ番号であり、センサ装置２０ａないしセンサ装置２０ｅを特定するための情報である。
【００４６】
センサ反応時刻６１３は、センサ装置２０ａないしセンサ装置２０ｅが対象者特定情報６１１を取得した時刻である。
【００４７】
暗号化部６０５は、センサ送信情報生成部６０２からセンサ送信情報を受け付け、受け付けたセンサ送信情報を暗号化する。
【００４８】
暗号化６０５は、暗号化したセンサ送信情報を送信部６０６に出力する。
【００４９】
送信部６０６は、暗号化部６０５から暗号化されたセンサ送信情報を受け付け、受け付けた暗号化されたセンサ送信情報を、例えば、無線通信を使用し、基地局３０ａないし基地局３０ｃのいずれか一つに送信する。
【００５０】
基地局３０ａないし基地局３０ｃは、センサ装置２０ａないしセンサ装置２０ｅが送信する暗号化されたセンサ送信情報を受信可能な位置に設置される。
【００５１】
また、基地局３０ａないし基地局３０ｃは、ネットワーク網５０に接続され、ネットワーク網５０を介して所定の情報を制御装置６０に送信する。
【００５２】
基地局３０ａないし基地局３０ｃは、センサ装置２０ａないしセンサ装置２０ｅから暗号化されたセンサ送信情報を受け付け、受け付けた暗号化されたセンサ送信情報を、自己を特定するための基地局特定情報（例えば、基地局３０ａないし基地局３０ｃごとに固有のＩＤ番号）と関連づけた基地局送信情報を作成し、作成した基地局送信情報を、ネットワーク網５０を介して制御装置６０に送信する。
【００５３】
図６cは、基地局３０ａないし基地局３０ｃの構成の一例を示したブロック図である。
【００５４】
図６cにおいて、基地局３０ａないし基地局３０ｃは入力部６２１と基地局情報生成部６２２と基地局特定情報記憶部６２３と送信部６２４とを含む。
【００５５】
入力部６２１は、センサ装置２０ａないしセンサ装置２０ｅ（具体的には、送信部６０６）から暗号化されたセンサ送信情報を受け付け、受け付けた暗号化されたセンサ送信情報を基地局送信情報生成部６２２に出力する。
【００５６】
基地局特定情報記憶部６２３は、自己を特定するための基地局特定情報を記憶する。
【００５７】
基地局送信情報生成部６２２は、入力部６２１から暗号化されたセンサ送信情報を受け付けると、基地局特定情報記憶部６２３から基地局特定情報を取得する。
【００５８】
基地局送信情報生成部６２２は、基地局特定情報記憶部６２３から取得した基地局特定情報を暗号化し、暗号化した基地局特定情報を、入力部６２１から受け付けた暗号化されたセンサ送信情報と関連づけた基地局送信情報を作成し、作成した基地局送信情報を送信部６２４に出力する。
【００５９】
送信部６２４は、基地局送信情報生成部６２２から基地局送信情報を受け付け、受け付けた基地局送信情報を、ネットワーク網５０を介して制御装置６０に送信する。
【００６０】
クライアント４０ａおよびクライアント４０ｂは、例えば、パソコンあるいは携帯電話であり、ネットワーク網５０を介して制御装置６０と接続される。
【００６１】
ネットワーク網５０は、例えば、インターネットであり、互いに基地局３０ａないし基地局３０ｃとクライアント４０ａおよびクライアント４０ｂと制御装置６０とに接続される。
【００６２】
制御装置６０は、基地局３０ａないし基地局３０ｃ（具体的には、送信部６２４）から基地局送信情報を受け付け、受け付けた基地局送信情報に基づいて、識別タグ１０ａないし識別タグ１０ｃを保持する対象者の位置およびバス等の移動体に乗っているか否か等の現在の対象者情報を解析し、解析した現在の対象者情報を、過去に蓄積した対象者情報に加え、記憶する。
【００６３】
制御装置６０は、所定の送信条件および対象者情報に基づいて、該当する情報を所定の電子メールアドレスに送信する。
【００６４】
また、制御装置６０は、クライアント４０ａおよびクライアント４０ｂから対象者情報の取得要求を受け付け、受け付けた対象者情報の取得要求に基づいて、該当する情報をクライアント４０ａおよびクライアント４０ｂに送信する。
【００６５】
図７は、制御装置６０の構成の一例を示したブロック図である。
【００６６】
図７において、制御装置６０は、メモリ７００と入力部７０１と復号化部７０２と時計部７０３とセンサ位置情報記憶部７０４と基地局位置情報記憶部７０５と契約者情報記憶部７０６と対象者情報生成部７０７と対象者情報記憶部７０８と認証部７０９と出力部７１０と判断部７１１とタイマー部７１２と送信条件記憶部７１３とを含む。
【００６７】
メモリ７００は、コンピュータにて読み取り可能な記録媒体であり、制御装置６０の動作を規定したプログラムを記録している。
【００６８】
制御装置６０は、例えば、コンピュータであり、メモリ７００に記録されたプログラムを読み取り、復号化部７０２と対象者情報生成部７０７と認証部７０９と判断部７１１とを実現する。
【００６９】
入力部７０１は、基地局３０ａないし基地局３０ｃから基地局送信情報を受け付け、受け付けた基地局送信情報を復号化部７０２に出力する。
【００７０】
復号化部７０２は、入力部７０１から基地局送信情報を受け付け、受け付けた基地局送信情報を復号化する。
【００７１】
復号化部７０２は、復号化した基地局送信情報を対象者情報生成部７０７に出力する。
【００７２】
時計部７０３は、現在の日付および時刻を示す。
【００７３】
センサ位置情報記憶部７０４は、センサ特定情報と該センサ特定情報にて特定されるセンサ装置２０ａないしセンサ装置２０ｅの設置位置と、該センサ特定情報にて特定されるセンサ装置２０ａないしセンサ装置２０ｅが移動体に設置されているか否かを示す移動体情報と、をセンサ特定情報ごとに関連づけられているセンサ情報データベースを記憶する。
【００７４】
図８は、センサ情報データベースの一例を示した図である。
【００７５】
図８において、センサ情報データベース８００は、センサ特定情報８０１と設置位置８０２と移動体情報８０３とを含む。
【００７６】
センサ特定情報８０１は、センサ装置２０ａないしセンサ装置２０ｅごとに固有のＩＤ番号であり、センサ装置２０ａないしセンサ装置２０ｅを特定するための情報である。
【００７７】
設置位置８０２は、センサ装置２０ａないしセンサ装置２０ｅが設置された場所を示す情報である。
【００７８】
移動体情報８０３は、センサ装置２０ａないしセンサ装置２０ｅが移動体に設置されているか否かを示す情報である。ここで、「ＹＥＳ」はセンサ装置２０ａないしセンサ装置２０ｅが移動体に設置されていることを示し、「ＮＯ」はセンサ装置２０ａないしセンサ装置２０ｅが移動体に設置されていないことを示す。
【００７９】
基地局位置情報記憶部７０５は、基地局特定情報と該基地局特定情報にて特定される基地局３０ａないし基地局３０ｃの設置位置と、を基地局特定情報ごとに関連づけられている基地局情報データベースを記憶する。
【００８０】
図９は、基地局情報データベースの一例を示した図である。
【００８１】
図９において、基地局情報データベース９００は、基地局特定情報９０１と設置位置９０２とを含む。
【００８２】
基地局特定情報９０１は、基地局３０ａないし基地局３０ｃに固有のＩＤ番号であり、基地局３０ａないし基地局３０ｃを特定するための情報である。
【００８３】
設置位置９０２は、基地局３０ａないし基地局３０ｃが設置された場所を示す情報である。
【００８４】
対象者情報生成部７０７は、復号化部７０２から復号化された基地局送信情報（すなわち、対象者特定情報とセンサ特定情報とセンサ反応時刻と基地局特定情報とを関連づけた情報）を受け付けると、センサ位置情報記憶部７０４から、復号化部７０２から受け付けたセンサ特定情報と関連づけられたセンサ装置２０ａないしセンサ装置２０ｅの設置位置および移動体情報を取得する。
【００８５】
対象者情報生成部７０７は、センサ位置情報記憶部７０４から取得した移動体情報に基づいて、復号化部７０２から受け付けた対象者特定情報にて特定される識別タグ１０ａないし識別タグ１０ｃを保持する対象者が移動体に乗っているか否かを判断する。
【００８６】
対象者が移動体に乗っていると判断された場合、対象者情報生成部７０７は、基地局位置情報記憶部７０５から、復号化部７０２から受け付けた基地局特定情報にて特定される基地局３０ａないし基地局３０ｃの設置位置を取得し、取得した設置位置を、復号化部７０２から受け付けた対象者特定情報にて特定される識別タグ１０ａないし識別タグ１０ｃを保持する対象者の情報取得位置として特定する。
【００８７】
一方、対象者が移動体に乗っていないと判断された場合、対象者情報生成部７０７は、センサ位置情報記憶部７０４から取得したセンサ装置２０ａないしセンサ装置２０ｅの設置位置を、復号化部７０２から受け付けた対象者特定情報にて特定される識別タグ１０ａないし識別タグ１０ｃを保持する対象者の情報取得位置として特定する。
【００８８】
例えば、対象者情報生成部７０７が、復号化部７０２から対象者特定情報６１１「日本太郎」とセンサ特定情報６１２「００００３」とセンサ反応時刻６１３「１３：１５」と基地局特定情報６１４「００００２」とを関連づけた情報を受け付けた場合、対象者情報生成部７０７は、センサ位置情報記憶部７０４から、復号化部７０２から受け付けたセンサ特定情報６１２「００００３」と関連づけられた設置位置８０２「市営バス０号」と移動体情報８０３「ＹＥＳ」を取得する。
【００８９】
対象者情報生成部７０７は、センサ位置情報記憶部７０４から取得した移動体情報８０３の値が「ＹＥＳ」か「ＮＯ」か、を判断する。この場合、移動体情報８０３は「ＹＥＳ」を値に持っているため、対象者情報生成部７０７は、センサ位置情報記憶部７０４から、復号化部７０２から受け付けた基地局特定情報６１４「００００２」と関連づけられた設置位置９０２「Ａ市Ｂ町００２番地」を取得し、取得した設置位置９０２「Ａ市Ｂ町００２番地」を対象者特定情報６１１「日本太郎」にて特定される識別タグ１０ａないし識別タグ１０ｃを保持する対象者の情報取得位置として特定する。
【００９０】
対象者情報生成部７０７は、対象者の情報取得位置を特定すると、時計部７０３から現在の日付および時刻を対象者の情報取得時刻として取得する。
【００９１】
対象者情報生成部７０７は、時計部７０３から取得した情報取得時刻、復号化部７０２から受け付けた対象者特定情報、センサ位置情報記憶部７０４から取得した移動体情報、および、特定された情報取得位置、を関連づけた対象者情報を作成する。
【００９２】
図１０ｂは、対象者情報の一例を示した図である。
【００９３】
図１０ｂにおいて、対象者情報１０５０は、対象者特定情報１０５１と情報取得時刻１０５２と情報取得位置１０５３と移動体情報１０５４とを含む。
【００９４】
対象者特定情報１０５１は、識別タグ１０ａないし識別タグ１０ｃを保持する対象者の氏名であり、識別タグ１０ａないし識別タグ１０ｃを識別するための情報である。
【００９５】
情報取得時刻１０５２は、センサ装置２０ａないしセンサ装置２０ｅが識別タグ１０ａないし識別タグ１０ｃに記憶された対象者特定情報を取得した日付および時刻である。
【００９６】
情報取得位置１０５３は、識別タグ１０ａないし識別タグ１０ｃに記憶された対象者特定情報を取得したセンサ装置２０ａないしセンサ装置２０ｅの位置を示す情報である。
【００９７】
移動体情報１０５４は、識別タグ１０ａないし識別タグ１０ｃに記憶された対象者特定情報を取得したセンサ装置２０ａないしセンサ装置２０ｅが移動体に設置されているか否かを示す情報である。ここで、「YES」はセンサ装置２０ａないしセンサ装置２０ｅが移動体に設置されていることを示し、「NO」はセンサ装置２０ａないしセンサ装置２０ｅが移動体に設置されていないことを示す。
【００９８】
対象者情報生成部７０７は、作成した対象者情報を対象者情報記憶部７０８および判断部７１１に出力する。
【００９９】
対象者情報記憶部７０８は、対象者情報生成部７０７から対象者情報を受け付け、受け付けた対象者情報を、既に記憶している対象者情報データベースに加え、記憶する。
【０１００】
図１０aは、対象者情報データベースの一例を示した図である。
【０１０１】
図１０aにおいて、対象者情報データベース１０００は、対象者特定情報１００１と情報取得時刻１００２と情報取得位置１００３と移動体情報１００４とを含む。
【０１０２】
対象者特定情報１００１は、識別タグ１０ａないし識別タグ１０ｃを保持する対象者の氏名であり、識別タグ１０ａないし識別タグ１０ｃを識別するための情報である。
【０１０３】
情報取得時刻１００２は、センサ装置２０ａないしセンサ装置２０ｅが識別タグ１０ａないし識別タグ１０ｃに記憶された対象者特定情報を取得した日付および時刻である。
【０１０４】
情報取得位置１００３は、識別タグ１０ａないし識別タグ１０ｃに記憶された対象者特定情報を取得したセンサ装置２０ａないしセンサ装置２０ｅの位置を示す情報である。
【０１０５】
移動体情報１００４は、対象者特定情報を取得したセンサ装置２０ａないしセンサ装置２０ｅが移動体に設置されているか否かを示す情報である。ここで、「YES」はセンサ装置２０ａないしセンサ装置２０ｅが移動体に設置されていることを示し、「NO」はセンサ装置２０ａないしセンサ装置２０ｅが移動体に設置されていないことを示す。
【０１０６】
送信条件記憶部７１３は、対象者特定情報と、該対象者特定情報を含む対象者情報を取得可能な契約者の電子メールアドレスと、該対象者特定情報を含む対象者情報を取得可能な契約者に所定の情報を送信するための条件実体と、を該対象者特定情報ごとに関連づけた送信条件データベースを記憶する。
【０１０７】
図１２は、送信条件データベースの一例を示した図である。
【０１０８】
図１２において、送信条件データベース１２００は、対象者特定情報１２０１と電子メールアドレス１２０２と条件実体１２０３とを含む。
【０１０９】
対象者特定情報１２０１は、識別タグ１０ａないし識別タグ１０ｃを保持する対象者の氏名であり、識別タグ１０ａないし識別タグ１０ｃを識別するための情報である。
【０１１０】
電子メールアドレス１２０２は、対象者特定情報１２０１を含む対象者情報を取得可能な契約者の電子メールアドレスである。
【０１１１】
条件実体１２０３は、対象者特定情報１２０１を含む対象者情報を取得可能な契約者に所定の情報を送信するための条件である。
【０１１２】
条件実体１２０３は、対象者情報を作成時に対象者情報を取得可能な契約者に所定の情報を送信するための生成時発生条件と、所定の時刻に対象者情報を取得可能な契約者に所定の情報を送信するための時刻発生条件と、からなる。具体的には、条件実体１２０３「２」「４」「５」は生成時発生条件であり、条件実体１２０３「１」「３」は時刻発生条件である。
【０１１３】
判断部７１１は、対象者情報生成部７０７から対象者情報を受け付け、受け付けた対象者情報に含まれる対象者特定情報と関連づけられた条件実体が送信条件記憶部７１３にあるか否かの判断を行う。
【０１１４】
対象者特定情報と関連づけられた条件実体があると判断した場合、判断部７１１は、送信条件記憶部７１３から、対象者情報生成部７０７から受け付けた対象者情報に含まれる対象者特定情報と関連づけられた条件実体と電子メールアドレスとを取得する
一方、対象者特定情報と関連づけられた条件実体がないと判断した場合、判断部７１１は、動作を終了する。
【０１１５】
判断部７１１は、送信条件記憶部７１３から条件実体と電子メールアドレスを取得すると、送信条件記憶部７１３から取得した条件実体に生成時発生条件が含まれるか否かの判断を行う。
【０１１６】
条件実体に生成時発生条件が含まれないと判断した場合、判断部７１１は、動作を終了する。
【０１１７】
条件実体に生成時発生条件が含まれると判断した場合、判断部７１１は、送信条件記憶部７１３から取得した条件実体に従って、動作を行う。以下、条件実体ごとに詳しく説明する。
【０１１８】
取得した条件実体１２０３が「２」の場合、判断部７１１は、対象者情報生成部７０７から受け付けた対象者情報に含まれる情報取得位置が条件実体１２０３「２」に記載の所定の位置に含まれるか否かの判断を行う。
【０１１９】
その情報取得位置が所定の位置に含まれると判断した場合、判断部７１１は、動作を終了する。
【０１２０】
一方、その情報取得位置が所定の位置に含まれないと判断した場合、判断部７１１は、送信条件記憶部７１３から取得した契約者の電子メールアドレス宛に、対象者が所定の位置以外の位置に存在するむねを知らせる情報を出力部７１０およびネットワーク網５０を介して送信する。
【０１２１】
取得した条件実体１２０３が「４」の場合、判断部７１１は、対象者情報生成部７０７から受け付けた対象者情報に含まれる情報取得位置が条件実体１２０３「４」に記載の第一の所定の位置に一致しているか否かの判断を行う。
【０１２２】
その情報取得位置が第一の所定の位置に一致していると判断した場合、判断部７１１は、タイマー部７１２に、所定の時間が経過すると対象者情報生成部７０７から受け付けた対象者情報に含まれる対象者特定情報を判断部７１１に送信するようにタイマー設定を行う。その後、判断部７１１は、動作を終了する。
【０１２３】
一方、その情報取得位置が第一の所定の位置に一致していないと判断した場合、判断部７１１は、動作を終了する。
【０１２４】
タイマー部７１２は、判断部７１１にて設定された所定の時間が経過すると、判断部７１１に対象者特定情報を出力する。
【０１２５】
判断部７１１は、タイマー部７１２から対象者特定情報を受け付けると、送信条件記憶部７１３から、タイマー部７１２から受け付けた対象者特定情報と関連づけられて記憶された条件実体１２０３「４」を取得すると共に、対象者情報記憶部７０８から、タイマー部７１２から受け付けた対象者特定情報を含む対象者情報を取得する。
【０１２６】
判断部７１１は、対象者情報記憶部７０８から取得した対象者情報に含まれる情報取得位置に送信条件記憶部７１３から取得した条件実体１２０３「４」に記載の第二の所定の位置が含まれるか否かの判断を行う。
【０１２７】
情報取得位置に第二の所定の位置が含まれると判断した場合、判断部７１１は動作を終了する。
【０１２８】
一方、情報取得位置に第二の所定の位置が含まれない判断した場合、判断部７１１は、送信条件記憶部７１３から取得した契約者の電子メールアドレス宛に、対象者が所定の時間内に第二の所定の位置に存在したことがないむねを示す情報を、出力部７１０およびネットワーク網５０を介して送信する。その後、判断部７１１は動作を終了する。
【０１２９】
取得した条件実体１２０３が「５」の場合、判断部７１１は、送信条件記憶部７１３から取得した契約者の電子メールアドレス宛に、対象者情報生成部７０７から受け付けた対象者情報を、出力部７１０およびネットワーク網５０を介して送信する。その後、判断部７１１は動作を終了する。
【０１３０】
また、判断部７１１は、所定の時間間隔（例えば、１分間隔）で、送信条件記憶部７１３から送信条件データベースを取得すると共に、時計部７０３から現在時刻を取得する。
【０１３１】
判断部７１１は、送信条件記憶部７１３から取得した送信条件データベースに含まれる条件実体に、時刻発生条件があるか否かの判断を行う。
【０１３２】
時刻発生条件がないと判断した場合、判断部７１１は動作を終了する。
【０１３３】
一方、時刻発生条件があると判断した場合、判断部７１１は時刻発生に基づいて、動作を行う。以下、具体的に条件実体ごとに説明する。
【０１３４】
条件実体１２０３が「１」である場合、判断部７１１は、時計部７０３から取得した現在時刻が送信条件記憶部７１３から取得した条件実体１２０３「１」に記載の所定の時刻を過ぎているか否かの判断を行う。
【０１３５】
現在時刻が所定の時刻を過ぎていないと判断した場合、判断部７１１は、動作を終了する。
【０１３６】
一方、現在時刻が所定の時刻を過ぎていると判断した場合、判断部７１１は、対象者情報記憶部７０８から、送信条件記憶部７１３から取得した条件実体１２０３「１」と関連づけられた対象者特定情報を含む対象者情報を取得する。
【０１３７】
判断部７１１は、対象者情報記憶部７０８から対象者情報を取得すると、取得した対象者情報を、契約者の電子メールアドレス宛に出力部７１０およびネットワーク網５０を介して送信する。
【０１３８】
判断部７１１は、対象者情報を送信すると、送信条件記憶部７１３から取得した送信条件に含まれる条件実体１２０３「１」の所定の時刻を更新し、更新した送信条件を送信条件記憶部７１３に出力する。
【０１３９】
送信条件記憶部７１３は、判断部７１１から送信条件を受け付け、受け付けた送信条件を記憶する。
【０１４０】
条件実体１２０３が「３」である場合、判断部７１１は、時計部７０３から取得した現在時刻が送信条件記憶部７１３から取得した条件実体１２０３「３」に記載の所定の時刻を過ぎているか否かの判断を行う。
【０１４１】
現在時刻が所定の時刻を過ぎていないと判断した場合、判断部７１１は、動作を終了する。
【０１４２】
一方、現在時刻が所定の時刻を過ぎていると判断した場合、判断部７１１は、対象者情報記憶部７０８から、送信条件記憶部７１３から取得した条件実体１２０３「３」と関連づけられた対象者特定情報を含む対象者情報を取得する。
【０１４３】
判断部７１１は、対象者情報記憶部７０８から対象者情報を取得すると、取得した対象者情報が条件実体１２０３「３」に記載の所定の位置を含むか否かの判断を行う。
【０１４４】
対象者情報が所定の位置を含むと判断された場合、判断部７１１は、動作を終了する。
【０１４５】
一方、対象者情報が所定の位置を含まないと判断された場合、対象者が所定の時刻までに所定の位置に存在したことがないむねを示す情報を、契約者の電子メールアドレス宛に、出力部７１０およびネットワーク網５０を介して送信する。
【０１４６】
判断部７１１は、対象者が所定の時刻までに所定の位置に存在したことがないむねを示す情報を送信すると、送信条件記憶部７１３から取得した送信条件に含まれる条件実体１２０３「３」の所定の時刻を更新し、更新した送信条件を送信条件記憶部７１３に出力する。
【０１４７】
送信条件記憶部７１３は、判断部７１１から送信条件を受け付け、受け付けた送信条件を記憶する。
【０１４８】
図２は、情報収集提供システムの動作を説明するためのフローチャートである。具体的には、センサ装置２０ａないしセンサ装置２０ｅが対象者特定情報を取得し、制御装置６０が対象者情報を記憶するまでの動作を説明するフローチャートである。
【０１４９】
なお、図２において、ステップ２０１は識別タグ１０ａないし識別タグ１０ｃよって実行され、ステップ２０２ないしステップ２０４はセンサ装置２０ａないしセンサ装置２０ｅによって実行され、ステップ２０５ないしステップ２０７は基地局３０ａないし基地局３０ｃによって実行され、ステップ２０８ないしステップ２１８は制御装置６０によって実行される。
【０１５０】
ステップ２０１では、対象者特定情報を記憶した識別タグ１０ａないし識別タグ１０ｃが対象者にて保持される。その後、ステップ２０２が実行される。
【０１５１】
ステップ２０２では、センサ６０１が、識別タグ１０ａないし識別タグ１０ｃのいずれか一つ（以下では、識別タグ１０ｂとする）から、識別タグ１０ｂに記憶された対象者特定情報を取得し、取得した対象者特定情報をセンサ情報生成部６０２に出力する。その後、ステップ２０３が実行される。
【０１５２】
ステップ２０３では、センサ情報生成部６０２が、センサ６０１から対象者特定情報を受け付ける。
【０１５３】
センサ情報生成部６０２は、対象者特定情報を受け付けると、時計部６０３から現在時刻をセンサ反応時刻として取得し、センサ特定情報記憶部６０４からセンサ特定情報を取得する。
【０１５４】
センサ送信情報生成部６０２は、センサ６０１から受け付けた対象者特定情報とセンサ特定情報記憶部６０４から取得したセンサ特定情報と時計部６０３から取得したセンサ反応時刻とを関連づけたセンサ送信情報を暗号化部６０５に出力する。その後、ステップ２０４が実行される。
【０１５５】
ステップ２０４では、暗号化部６０５が、センサ送信情報生成部６０２からセンサ送信情報を受け付け、受け付けたセンサ送信情報を暗号化し、暗号化したセンサ送信情報を送信部６０６に出力する。
【０１５６】
送信部６０６は、暗号化部６０５から暗号化されたセンサ送信情報を受け付け、受け付けた暗号化されたセンサ送信情報を基地局３０ａないし基地局３０ｃのいずれか一つ（以下では基地局３０ｂとする）に送信する。その後、ステップ２０５が実行される。
【０１５７】
ステップ２０５では、基地局３０ｂ（具体的には、入力部６２１）が、送信部６０６から暗号化されたセンサ送信情報を受け付け、受け付けた暗号化されたセンサ送信情報を基地局送信情報生成部６２２に出力する。その後、ステップ２０６が実行される。
【０１５８】
ステップ２０６では、基地局送信情報生成部６２２が、入力部６２１から暗号化されたセンサ送信情報を受け付ける。
【０１５９】
基地局送信情報生成部６２２は、入力部６２１から暗号化されたセンサ送信情報を受け付けると、基地局特定情報記憶部６２３から基地局特定情報を取得する。
【０１６０】
基地局送信情報生成部６２２は、基地局特定情報記憶部６２３から取得した基地局特定情報を暗号化し、暗号化した基地局特定情報を、入力部６２１から受け付けた暗号化されたセンサ送信情報と関連づけた基地局送信情報を作成し、作成した送信部６２４に出力する。その後、ステップ２０７が実行される。
【０１６１】
ステップ２０７では、送信部６２４が、基地局送信情報生成部６２２から基地局送信情報を受け付ける。
【０１６２】
送信部６２４は、基地局送信情報生成部６２２から基地局送信情報を受け付けると、受け付けた基地局送信情報を、ネットワーク網５０を介して制御装置６０に送信する。その後、ステップ２０８が実行される。
【０１６３】
ステップ２０８では、制御装置６０（具体的には、入力部７０１）が、基地局３０ｂ（具体的には、送信部６０６）から基地局送信情報を受け付け、受け付けた基地局送信情報を復号化部７０２に出力する。その後、ステップ２０９が実行される。
【０１６４】
ステップ２０９では、復号化部７０２が、入力部７０１から基地局送信情報を受け付け、受け付けた基地局送信情報を復号化する。
【０１６５】
復号化部２０９は、復号化した基地局送信情報を対象者情報生成部７０７に出力する。その後、ステップ２１０が実行される。
【０１６６】
ステップ２１０では、対象者情報生成部７０７が、復号化部７０２からセンサ送信情報と基地局特定情報とを関連づけた情報（すなわち、対象者特定情報とセンサ特定情報とセンサ反応時刻と基地局特定情報とを関連づけた情報）を受け付け、受け付けたセンサ特定情報と関連づけられて記憶されたセンサ装置２０ｃの設置位置および移動体情報をセンサ位置情報記憶部７０４から取得する。その後、ステップ２１１が実行される。
【０１６７】
ステップ２１１では、対象者情報生成部７０７が、センサ位置情報記憶部７０４から取得した移動体情報に基づいて、復号化部７０２から受け付けた対象者特定情報にて特定される対象者が移動体に乗っているか否かを判断する。対象者が移動体に乗っていると判断された場合、ステップ２１２が実行され、一方、対象者が移動体に乗っていないと判断された場合、ステップ２１４が実行される。
【０１６８】
ステップ２１２では、対象者情報生成部７０７が、復号化部７０２から受け付けた基地局特定情報と関連づけられて記憶された基地局３０ｂの設置位置を基地局位置情報記憶部７０５から取得する。その後、ステップ２１３が実行される。
【０１６９】
ステップ２１３では、対象者情報生成部７０７が、基地局位置情報記憶部７０５から取得した設置位置を対象者の情報取得位置として特定する。その後、ステップ２１５が実行される。
【０１７０】
ステップ２１４では、対象者情報生成部７０７が、センサ位置情報記憶部７０４から取得したセンサ装置２０ｃの設置位置を対象者の情報取得位置として特定する。その後、ステップ２１５が実行される。
【０１７１】
ステップ２１５では、対象者情報生成部７０７が、対象者の情報取得位置を特定すると、時計部７０３から現在の日付および時刻を対象者の情報取得時刻として取得する。
【０１７２】
対象者情報生成部７０７は、時計部７０３から取得した情報取得時刻、復号化部７０２から受け付けた対象者特定情報、センサ位置情報記憶部７０４から取得した移動体情報、および、対象者情報生成部７０７にて特定された情報取得位置、を関連づけた対象者情報を作成する。その後、ステップ２１６が実行される。
【０１７３】
ステップ２１６では、対象者情報生成部７０７が、作成した対象者情報を対象者情報記憶部７０８に出力する。
【０１７４】
対象者情報記憶部７０８は、対象者情報生成部７０７から対象者情報を受け付け、受け付けた対象者情報を、既に記憶している対象者情報データベースに加え、記憶する。その後、ステップ２１７が実行される。
【０１７５】
ステップ２１７では、対象者情報生成部７０７が、作成した対象者情報を判断部７１１に出力する。その後、ステップ２１８が実行される。
【０１７６】
ステップ２１８では、対象者情報生成部７０７が、動作を終了する。
【０１７７】
図３は、情報提供システムの動作を説明するためのフローチャートである。具体的にはクライアント４０ａあるいは４０ｂが制御装置６０に接続し、制御装置６０に記憶された対象者情報を取得するまでの動作を説明するためのフローチャートである。
【０１７８】
ステップ３０１では、認証部７０９が、クライアント４０ａあるいは４０ｂのいずれか一つ（以下では、クライアント４０ａとする）から接続される。その後、ステップ３０２が実行される。
【０１７９】
ステップ３０２では、認証部７０９が、契約者特定情報およびパスワードの入力をクライアント４０ａのユーザに要求する認証要求情報を、出力部７１０およびネットワーク網５０を介してクライアント４０ａに送信する。その後、ステップ３０３が実行される。
【０１８０】
ステップ３０３では、クライアント４０ａが、契約者特定情報およびパスワードを、ネットワーク網５０および入力部７０１を介して認証部７０９に送信する。その後、ステップ３０４が実行される。
【０１８１】
ステップ３０４では、認証部７０１が、クライアント４０ａから契約者特定情報およびパスワードを受け付ける。
【０１８２】
認証部７０１は、契約者情報記憶部７０６から、クライアント４０ａから受け付けた契約者特定情報と関連づけて記憶されたパスワードを取得する。その後、ステップ３０５が実行される。
【０１８３】
ステップ３０５では、認証部７０１が、クライアント４０ａから受け付けたパスワードと契約者情報記憶部７０６から取得したパスワードが一致しているか否かの判断を行う。パスワードが一致していると判断した場合は、ステップ３０７が実行され、パスワードが一致していないと判断した場合は、ステップ３０６が実行される。
【０１８４】
ステップ３０６では、認証部７０９が、クライアン４０ａのユーザにクライアン４０ａが送信した対象者特定情報およびパスワードが誤っていることを知らせるエラーメッセージを、出力部７１０およびネットワーク網５０を介してクライアン４０ａに送信する。
【０１８５】
その後、認証部７０９はクライアン４０ａとの接続を切り、動作を終了する。
【０１８６】
ステップ３０７では、認証部７０９が、クライアン４０ａのユーザに、対象者情報を取得したい対象者の対象者特定情報、取得したい情報の種類（例えば、情報取得位置１００４）、および、取得したい情報の範囲（例えば、情報取得時間１００３が２月１日１２時から２月１日の１６時までの情報）、の入力を要求する条件入力要求を、出力部７１０およびにネットワーク網５０を介してクライアン４０ａに送信する。その後、ステップ３０８が実行される。
【０１８７】
ステップ３０８では、クライアント４０ａが、対象者特定情報、取得したい情報の種類、および、取得したい情報の範囲を、ネットワーク網５０および入力部７０１を介して認証部７０９に送信する。その後、ステップ３０９が実行される。
【０１８８】
ステップ３０９では、認証部７０９が、クライアント４０ａからネットワーク網５０および入力部７０１を介して対象者特定情報、取得したい情報の種類、および、取得したい情報の範囲を受け付ける。その後、ステップ３１０が実行される。
【０１８９】
ステップ３１０では、認証部７０１が、クライアント４０ａからネットワーク網５０および入力部７０１を介して受け付けた対象者特定情報が、クライアント４０ａから受け付けた契約者特定情報と契約者情報記憶部７０６にて関連づけられて記憶されているか否かの判断を行う。関連づけられて記憶されていると判断した場合、ステップ３１２が実行され、一方、関連づけられて記憶されていないと判断した場合、ステップ３１１が実行される。
【０１９０】
ステップ３１１では、認証部７０９が、クライアン４０ａのユーザに、クライアン４０ａが送信した対象者特定情報が誤っていることを知らせるエラーメッセージを出力部７１０およびネットワーク網５０を介してクライアン４０ａに出力する。
【０１９１】
その後、認証部７０９はクライアン４０ａとの接続を切り、動作を終了する。
【０１９２】
ステップ３１２では、認証部７０１が、クライアント４０ａからネットワーク網５０および入力部７０１を介して受け付けた、取得したい情報の種類、および、取得したい情報の範囲に該当する対象者情報を、対象者情報記憶部７０８から取得し、取得した対象者情報を出力部７１０およびネットワーク網５０を介してクライアン４０ａに送信する。その後、認証部７０９は動作を終了する。
【０１９３】
図４は、情報収集提供システムの動作を説明するためのフローチャートである。具体的には生成時発生条件に基づいた判断部７１１およびタイマー部７１２の動作を説明するためのフローチャートである。
【０１９４】
ステップ４０１では、判断部７１１が、送信条件記憶部７１３から条件実体１２０３を取得する。その後、ステップ４０２が実行される。
【０１９５】
ステップ４０２では、送信条件記憶部７１３から取得した条件実体１２０３に生成時発生条件が含まれるか否かの判断を行う。条件実体１２０３に生成時発生条件が含まれると判断した場合、ステップ４０３が実行され、条件実体１２０３に生成時発生条件が含まれないと判断した場合、ステップ４１７が実行される。
【０１９６】
ステップ４０３では、判断部７１１が、送信条件記憶部７１３から取得した条件実体１２０３が「２」であるか否かの判断を行う。条件実体１２０３が「２」であると判断した場合、ステップ４０４が実行され、条件実体１２０３が「２」でないと判断した場合、ステップ４０５が実行される。
【０１９７】
ステップ４０４では、判断部７１１が、対象者情報生成部７０７から受け付けた対象者情報に含まれる情報取得位置が条件実体１２０３「２」に記載の所定の位置に含まれるか否かの判断を行う。情報取得位置が所定の位置に含まれると判断した場合、ステップ４１７が実行され、一方、情報取得位置が所定の位置に含まれないと判断した場合、ステップ４０５が実行される
ステップ４０５では、判断部７１１が、契約者の電子メールアドレス宛に、対象者が所定の位置以外の位置に存在することを示す情報を出力部７１０およびネットワーク網５０を介して送信する。その後、ステップ４１７が実行される。
【０１９８】
ステップ４０６では、判断部７１１が、送信条件記憶部７１３から取得した条件実体１２０３が「４」であるか否かの判断を行う。条件実体１２０３が「４」であると判断した場合、ステップ４０７が実行され、条件実体１２０３が「４」でないと判断した場合、ステップ４１５が実行される。
【０１９９】
ステップ４０７では、判断部７１１が、対象者情報生成部７０７から受け付けた対象者情報に含まれる情報取得位置が条件実体１２０３「４」に記載の第一の所定の位置に含まれるか否かの判断を行う。その情報取得位置が第一の所定の位置に含まれると判断した場合、ステップ４０８が実行され、その情報取得位置が第一の所定の位置に含まれないと判断した場合、ステップ４０９が実行される。
【０２００】
ステップ４０８では、判断部７１１が、タイマー部７１２に、所定の時間が経過すると対象者情報生成部７０７から受け付けた対象者情報に含まれる対象者特定情報を判断部７１１に送信するようにタイマー設定を行う。その後、ステップ４０９が実行される。
【０２０１】
ステップ４０９では、対象者情報生成部７０７が、動作を終了する。
【０２０２】
ステップ４１０では、タイマー部７１２が、判断部７１１にて設定された所定の時間が経過すると、対象者特定情報を判断部７１１に出力する。その後、ステップ４１１が実行される。
【０２０３】
ステップ４１１では、判断部７１１が、タイマー部７１２から対象者特定情報を受け付けると、送信条件記憶部７１３から、タイマー部７１２から受け付けた対象者特定情報と関連づけられて記憶された条件実体１２０３「４」を取得し、対象者情報記憶部７０８から、タイマー部７１２から受け付けた対象者特定情報を含む対象者情報を取得する。その後、ステップ４１２が実行される。
【０２０４】
ステップ４１２では、判断部７１１が、対象者情報記憶部７０８から取得した対象者情報に含まれる情報取得位置に送信条件記憶部７１３から取得した条件実体１２０３「４」に記載の第二の所定の位置が含まれるか否かの判断を行う。第二の所定の位置が含まれると判断した場合、ステップ４１４が実行され、第二の所定の位置が含まれないと判断した場合、ステップ４１３が実行される。
【０２０５】
ステップ４１３では、判断部７１１が、送信条件記憶部７１３から取得した契約者の電子メールアドレス宛に、対象者が所定の時間内に第二の所定の位置に存在したことがないむねを示す情報を、出力部７１０およびネットワーク網５０を介して送信する。その後、ステップ４１４が実行される。
【０２０６】
ステップ４１４では、判断部７１１が、動作を終了する。
【０２０７】
ステップ４１５では、判断部７１１が、送信条件記憶部７１３から取得した条件実体１２０３が「５」であるか否かの判断を行う。条件実体１２０３が「５」であると判断した場合、ステップ４１６が実行され、条件実体１２０３が「５」でないと判断した場合、ステップ４１７が実行される。
【０２０８】
ステップ４１６では、判断部７１１が、送信条件記憶部７１３から取得した契約者の電子メールアドレス宛に、対象者情報生成部７０７から受け付けた対象者情報を、出力部７１０およびネットワーク網５０を介して送信する。その後、ステップ４１６が実行される。
【０２０９】
ステップ４１７では、判断部７１１が動作を終了する。
【０２１０】
図５は、情報収集提供システムの動作を説明するためのフローチャートである。具体的には時刻発生条件に基づいた判断部７１１の動作を説明するためのフローチャートである。
【０２１１】
ステップ５０１では、判断部７１１が、送信条件記憶部７１３から送信条件データベースを取得し、時計部７０３から現在時刻を取得する。その後、ステップ５０２が実行される。
【０２１２】
ステップ５０２では、判断部７１１が、送信条件記憶部７１３から取得した送信条件データベースに含まれる条件実体１２０３に、時刻発生条件があるか否かの判断を行う。
【０２１３】
時刻発生条件があると判断した場合、ステップ５０３が実行され、時刻発生条件がないと判断した場合、ステップ５１２が実行される
ステップ５０３では、判断部７１１が、送信条件記憶部７１３から取得した送信条件データベースに含まれる条件実体１２０３が「１」であるか否かを判断する。
【０２１４】
条件実体１２０３が「１」であると判断した場合、ステップ５０４が実行され、条件実体１２０３が「１」でないと判断した場合、ステップ５０８が実行される。
【０２１５】
ステップ５０４では、判断部７１１が、時計部７０３から取得した現在時刻が送信条件記憶部７１３から取得した条件実体１２０３「１」に記載の所定の時刻を過ぎているか否かの判断を行い、現在時刻が所定の時刻を過ぎていると判断した場合、ステップ５０５が実行され、一方、現在時刻が所定の時刻を過ぎていないと判断した場合、ステップ５１２が実行される。
【０２１６】
ステップ５０５では、判断部７１１が、対象者情報記憶部７０８から、送信条件記憶部７１３から取得した条件実体１２０３「１」と関連づけられて記憶された対象者特定情報を含む対象者情報を取得する。その後、ステップ５０６が実行される。
【０２１７】
ステップ５０６では、判断部７１１が、対象者情報記憶部７０８から対象者情報を取得すると、取得した対象者情報を契約者の電子メールアドレス宛に出力部７１０およびネットワーク網５０を介して送信する。その後、ステップ５０７が実行される。
【０２１８】
ステップ５０７では、判断部７１１が、対象者情報を送信すると、送信条件記憶部７１３から取得した送信条件に含まれる条件実体１２０３「１」の所定の時刻を更新し、更新した送信条件を送信条件記憶部７１３に出力する。
【０２１９】
送信条件記憶部７１３は、判断部７１１から送信条件を受け付け、受け付けた送信条件を記憶する。その後、ステップ５１２が実行される。
【０２２０】
ステップ５０８では、判断部７１１が、時計部７０３から取得した現在時刻が送信条件記憶部７１３から取得した条件実体１２０３「３」に記載の所定の時刻を過ぎているか否かの判断を行う。
【０２２１】
現在時刻が所定の時刻を過ぎていると判断した場合、ステップ５０９が実行され、一方、現在時刻が所定の時刻を過ぎていないと判断した場合、ステップ５１２が実行される。
【０２２２】
ステップ５０９では、判断部７１１が、対象者情報記憶部７０８から、送信条件記憶部７１３から取得した条件実体１２０３「３」に含まれる対象者特定情報と関連づけられた対象者情報を取得する。その後、ステップ５１０が実行される。
【０２２３】
ステップ５１０では、判断部７１１が、契約者の電子メールアドレス宛に対象者が所定の時刻までに所定の位置に存在したことがないむねを示す情報を送信する。その後、ステップ５１１が実行される。
【０２２４】
ステップ５１１では、判断部７１１が、対象者が所定の時刻までに所定の位置に存在したことがないむねを示す情報を送信すると、送信条件記憶部７１３から取得した送信条件に含まれる条件実体１２０３「３」の所定の時刻を更新し、更新した送信条件を送信条件記憶部７１３に出力する。
【０２２５】
送信条件記憶部７１３は、判断部７１１から送信条件を受け付け、受け付けた送信条件を記憶する。その後、ステップ５１２が実行される。
【０２２６】
ステップ５１２では、判断部７１１が、動作を終了する。
【０２２７】
本実施例によれば、入力部７０１は、基地局３０ａないし基地局３０ｃから、基地局送信情報（すなわち、対象者特定情報とセンサ特定情報とセンサ反応時刻と基地局特定情報とを関連づけた情報）を受け付ける。
【０２２８】
対象者情報生成部７０７は、センサ位置情報記憶部７０４から取得した移動体情報に基づいて、復号化部７０２から受け付けた対象者特定情報にて特定される識別タグ１０ａないし識別タグ１０ｃを保持する対象者が移動体に乗っているか否かを判断する。
【０２２９】
その対象者が移動体に乗っていると判断した場合、対象者情報生成部７０７は、基地局位置情報記憶部７０５から、復号化部７０２から受け付けた基地局特定情報にて特定される基地局３０ａないし基地局３０ｃの設置位置を取得し、取得した設置位置を、復号化部７０２から受け付けた対象者特定情報にて特定される識別タグ１０ａないし識別タグ１０ｃを保持する対象者の情報取得位置として特定する。
【０２３０】
一方、その対象者が移動体に乗っていないと判断された場合、対象者情報生成部７０７は、センサ位置情報記憶部７０４から取得したセンサ装置２０ａないしセンサ装置２０ｅの設置位置を、復号化部７０２から受け付けた対象者特定情報にて特定される識別タグ１０ａないし識別タグ１０ｃを保持する対象者の情報取得位置として特定する。
【０２３１】
対象者情報生成部７０７は、対象者の情報取得位置を特定すると、時計部７０３から現在の日付および時刻を対象者の情報取得時刻として取得する。
【０２３２】
対象者情報生成部７０７は、時計部７０３から取得した情報取得時刻、復号化部７０２から受け付けた対象者特定情報、センサ位置情報記憶部７０４から取得した移動体情報、および、特定された情報取得位置、を関連づけた対象者情報を作成する。
【０２３３】
対象者情報記憶部７０８は、対象者情報生成部７０７から対象者情報を受け付け、受け付けた対象者情報を、既に記憶している対象者情報データベースに加え、記憶する。
【０２３４】
これにより、対象者特定情報と情報取得位置と情報取得時刻と移動体情報とが関連づけられて記憶される。これにより、識別タグ１０ａないし識別タグ１０ｃを保持する対象者の居場所が時刻ごとにわかるので、対象者の行動を知ることが可能になる。これにより、迷子あるいは誘拐等の不測の事態の早期発見が可能になる。また、対象者が移動体に乗っているか否かが記憶されるので、対象者が移動体にて移動している場合でも、対象者の行動を知ることが可能になる。
【０２３５】
本実施例では、送信条件記憶部７１３は、対象者特定情報と、該対象者特定情報を含む対象者情報を取得可能な契約者の電子メールアドレスと、該対象者特定情報を含む対象者情報を取得可能な契約者に所定の情報を送信するための条件実体と、を対象者特定情報ごとに関連づけた送信条件データベースを記憶する。
【０２３６】
判断部７１１は、送信条件記憶部７１３に記憶された送信条件データベースに含む条件実体を従って動作を行い、送信条件記憶部７１３にて条件実体と関連づけられた電子メールアドレスに、所定の情報を送信する。
【０２３７】
これにより、送信条件に従って、所定の情報が送信条件と関連づけられた電子メールアドレス宛に送信される。よって、対象者の行動が保護者の電子メールアドレスに送信されるので、保護者は、例えば、自宅あるいは勤め先など、電子メールを取得できる環境があれば、場所を選ばずに、対象者の行動を知ることが可能になる。これにより、迷子あるいは誘拐等の不測の事態の早期発見が可能になる。
【０２３８】
また、本実施例では、判断部７１１は、時計部７０３から取得した現在時刻が送信条件記憶部７１３から取得した条件実体１２０３「１」に記載の所定の時刻を過ぎているか否かの判断を行い、過ぎていると判断した場合、判断部７１１は、対象者情報記憶部７０８から、送信条件記憶部７１３から取得した条件実体１２０３「１」と関連づけられた対象者特定情報を含む対象者情報を取得する。
【０２３９】
判断部７１１は、対象者情報記憶部７０８から対象者情報を取得すると、取得した対象者情報を、契約者の電子メールアドレス宛に出力部７１０およびネットワーク網５０を介して送信する。
【０２４０】
これにより、所定の時間ごとに、対象者情報が送信条件と関連づけられた電子メールアドレス宛に送信される。よって、保護者は定期的に対象者の行動を知ることが可能になる。これにより、迷子あるいは誘拐等の不測の事態の早期発見が可能になる。
【０２４１】
また、本実施例では、判断部７１１は、対象者情報生成部７０７から受け付けた対象者情報に含まれる情報取得位置が条件実体１２０３「２」に記載の所定の位置に含まれるか否かの判断を行い、その情報取得位置が所定の位置に含まれないと判断した場合、判断部７１１は、送信条件記憶部７１３から取得した契約者の電子メールアドレス宛に、対象者が所定の位置以外にいることを知らせる情報を出力部７１０およびネットワーク網５０を介して送信する。
【０２４２】
これにより、所定の位置を含まない情報取得位置を含む対象者情報を作成されたことを示す情報が電子メールアドレス宛に送信される。よって、保護者は、例えば、対象者が普段行かない場所に対象者が行ったことなど、対象者の行動に不測の事態が起こった可能性を知ることができる。これにより、迷子あるいは誘拐等の不測の事態の早期発見が可能になる。
【０２４３】
また、本実施例では、判断部７１１は、時計部７０３から取得した現在時刻が送信条件記憶部７１３から取得した条件実体１２０３「３」に記載の所定の時刻を過ぎているか否かの判断を行い、過ぎていると判断した場合、判断部７１１は、対象者情報記憶部７０８から、送信条件記憶部７１３から取得した条件実体１２０３「３」と関連づけられた対象者情報を取得する。
【０２４４】
判断部７１１は、対象者情報記憶部７０８から対象者情報を取得すると、条件実体１２０３「３」に記載の所定の位置を含む対象者情報があるか否かの判断を行い、その対象者情報がないと判断した場合、対象者が所定の時刻までに所定の位置に存在したことがないむねを示す情報を、契約者の電子メールアドレス宛に、出力部７１０およびネットワーク網５０を介して送信する。
【０２４５】
これにより、対象者が所定の時刻までに所定の位置に存在したことがないむねを示す情報が電子メールアドレス宛に送信される。これにより、保護者は、例えば、対象者が学校に着いていなければいけない時刻に着いていないことなど、対象者の行動に不測の事態が起こった可能性を知ることができる。これにより、迷子あるいは誘拐等の不測の事態の早期発見が可能になる。
【０２４６】
また、本実施例では、判断部７１１は、対象者情報生成部７０７から受け付けた対象者情報に含まれる情報取得位置が条件実体１２０３「４」に記載の第一の所定の位置に含まれるか否かの判断を行う。
【０２４７】
その情報取得位置が第一の所定の位置に一致していると判断した場合、判断部７１１は、タイマー部７１２に、所定の時間が経過すると対象者情報生成部７０７から受け付けた対象者情報に含まれる対象者特定情報を判断部７１１に送信するようにタイマー設定を行う。
【０２４８】
タイマー部７１２は、判断部７１１にて設定された所定の時間が経過すると、判断部７１１に対象者特定情報を出力する。
【０２４９】
判断部７１１は、タイマー部７１２から対象者特定情報を受け付けると、送信条件記憶部７１３から、タイマー部７１２から受け付けた対象者特定情報と関連づけられて記憶された条件実体１２０３「４」を取得すると共に、対象者情報記憶部７０８から、タイマー部７１２から受け付けた対象者特定情報を含む対象者情報を取得する。
【０２５０】
判断部７１１は、対象者情報記憶部７０８から取得した対象者情報に含まれる情報取得位置に送信条件記憶部７１３から取得した条件実体１２０３「４」に記載の第二の所定の位置が含まれるか否かの判断を行う。
【０２５１】
情報取得位置に第二の所定の位置が含まれない判断した場合、判断部７１１は、送信条件記憶部７１３から取得した契約者の電子メールアドレス宛に、対象者が所定の時間内に第二の所定の位置に存在したことがないむねを示す情報を、出力部７１０およびネットワーク網５０を介して送信する。
【０２５２】
これにより、対象者が前記所定の時間内に前記第二の所定の位置に存在したことがないむねを示す情報が電子メール宛に送信される。これにより、保護者は、例えば、下校時において、対象者が校門を出てからバスに乗るまでの時間が多くかかっていることなど、対象者の行動に不測の事態が起こった可能性を知ることができる。よって、迷子あるいは誘拐等の不測の事態の早期発見が可能になる。
【０２５３】
また本実施例では、判断部７１１は、送信条件記憶部７１３から取得した契約者の電子メールアドレス宛に、対象者情報生成部７０７から受け付けた対象者情報を、出力部７１０およびネットワーク網５０を介して送信する。その後、判断部７１１は動作を終了する。
【０２５４】
これにより、保護者は、対象者の行動を細かく知ることができる。これにより、迷子あるいは誘拐等の不測の事態の早期発見が可能になる。
【０２５５】
以上説明した実施例において、図示した構成は単なる一例であって、本発明はその構成に限定されるものではない。
【図面の簡単な説明】
【０２５６】
【図１】本実施例の情報収集提供システムを示したブロック図である。
【図２】情報収集提供システムの動作の一例を説明するためのフローチャートである。
【図３】情報収集提供システムの動作の一例を説明するためのフローチャートである。
【図４】情報収集提供システムの動作の一例を説明するためのフローチャートである。
【図５】情報収集提供システムの動作の一例を説明するためのフローチャートである。
【図６ａ】センサ装置の構成の一例を示したブロック図である。
【図６ｂ】センサ送信情報の一例を示した図である。
【図６ｃ】基地局の構成の一例を示したブロック図である。
【図７】制御装置の構成の一例を示したブロック図である。
【図８】センサ情報データベースの一例を示した図である。
【図９】基地局情報データベースの一例を示した図である。
【図１０ａ】対象者情報データベースの一例を示した図である。
【図１０ｂ】対象者情報の一例を示した図である。
【図１１】契約者情報データベースの一例を示した図である。
【図１２】送信条件データベースの一例を示した図である。
【符号の説明】
【０２５７】
１０ａ〜１０ｃ     識別タグ
２０ａ〜２０ｅ     センサ装置
３０ａ〜３０ｃ     基地局
４０ａ、４０ｂ     クライアント
５０        ネットワーク網
６０        制御装置
６０１      センサ
６０２      センサ送信情報生成部
６０３      時計部
６０４      センサ特定情報記憶部
６０５      暗号化部
６０６      送信部
６１０      センサ送信情報
６１１      対象者特定情報
６１２      センサ特定情報
６１３      センサ反応時刻
６２１      入力部
６２２      基地局送信情報生成部
６２３      基地局特定情報記憶部
６２４      送信部
７０１      入力部
７０２      復号化部
７０３      時計部
７０４      センサ位置情報記憶部
７０５      基地局位置情報記憶部
７０６      契約者情報記憶部
７０７      対象者情報生成部
７０８      対象者情報記憶部
７０９      認証部
７１０      出力部
７１１      判断部
７１２      タイマー部
７１３      送信条件記憶部
８００      センサ情報データベース
８０１      センサ特定情報
８０２      設置位置
８０３      移動体情報
９００      基地局情報データベース
９０１      基地局特定情報
９０２      設置位置
１０００    対象者情報データベース
１００１    対象者特定情報
１００２    情報取得時刻
１００３    情報取得位置
１００４    移動体情報
１０５０    対象者情報
１０５１    対象者特定情報
１０５２    情報取得時刻
１０５３    情報取得位置
１０５４    移動体情報
１１００    契約者情報データベース
１１０１    契約者特定情報
１１０２    パスワード
１１０３    対象者特定情報
１２００    送信条件データベース
１２０１    対象者特定情報
１２０２    契約者アドレス
１２０３    条件実体
【図１】
2006285413.tif 000003
【図２】
2006285413.tif 000004
【図３】
2006285413.tif 000005
【図４】
2006285413.tif 000006
【図５】
2006285413.tif 000007
【図６ａ】
2006285413.tif 000008
【図６ｂ】
2006285413.tif 000009
【図６ｃ】
2006285413.tif 000010
【図７】
2006285413.tif 000011
【図８】
2006285413.tif 000012
【図９】
2006285413.tif 000013
【図１０ａ】
2006285413.tif 000014
【図１０ｂ】
2006285413.tif 000015
【図１１】
2006285413.tif 000016
【図１２】
2006285413.tif 000017